(57)【要約】      （修正有）【課題】耐荷重の維持又は増大させることができる磁石、粘着テープ、吸盤その他で固定する物掛けを提供する。【解決手段】フック本体２の支持台１の外周にいくつかの凹凸を設けて、いくつかの物掛けを互いに連結することができるようにしたことを特徴とする物掛け。物掛けにおいて、（イ）フック支持台１の外周に凹部５，６と凸部３，４が互いにはめ込むことができる形状を有した凹部５，６と凸部３，４を任意の数だけ設け、（ロ）凹部５，６に、フック支持台１の側面に近い方に巾を狭くした、遠い方にそれより巾を広くした形状を設け、そして凸部３，４に、フック支持台１の側面に近い方に巾を狭くした、遠い方にそれより巾を広くした形状を設け、凹部５，６と凸部３，４が互いに水平方向には抜けないようにする。【選択図】図１
0003194721.tif 000002
【実用新案登録請求の範囲】
【請求項１】
フック支持台の外周に凹部と凸部が互いにはめ込むことができる形状を有した凹部と凸部を任意の数だけ設けたところを特徴とする物掛け。
【請求項２】
（イ）フック支持台の外周に凹部と凸部が互いにはめ込むことができる形状を有した凹部と凸部を任意の数だけ設ける。
（ロ）凹部に、フック支持台の側面に近い方に巾を狭くした、遠い方にそれより巾を広くした形状を設ける。そして凸部に、フック支持台の側面に近い方に巾を狭くした、遠い方にそれより巾を広くした形状を設け、凹部と凸部が互いに水平方向には抜けないようにした物掛け。
【請求項３】
（イ）フック支持台の外周に凹部と凸部が互いにはめ込むことができる形状を有した凹部と凸部を任意の数だけ設ける。
（ロ）凹部に、フック支持台の側面に近い方に巾を狭くした、遠い方にそれより巾を広くした形状を設ける。そして凸部に、フック支持台の側面に近い方に巾を狭くした、遠い方にそれより巾を広くした形状を設け、凹部と凸部が互いに水平方向には抜けないようにした物掛け。
（ハ）凹部、凸部それぞれの上面、下面をフック支持台の前面から背面に向けて下方に傾斜させた物掛け。
【請求項４】
（イ）フック支持台の外周に凹部と凸部が互いにはめ込むことができる形状を有した凹部と凸部を任意の数だけ設ける。
（ロ）凹部、凸部それぞれの上面、下面をフック支持台の前面から背面に向けて下方に傾斜させた物掛け。
【請求項５】
凸部の外壁、凹部の内壁にそれぞれいくつかの凹部、凸部を設けて互いにはめ込むことができる請求項１、請求項２、請求項３、請求項４の物掛け。
【請求項６】
請求項１、請求項２、請求項３、請求項４、請求項５の物掛けからフック本体を取り外したフック支持台。
【考案の詳細な説明】
【技術分野】
【０００１】  本考案は、いくつかの凹凸の形状を設けて互いに連結できるようにした磁石、粘着テープ、吸盤その他を背面に取り付けた、建物の壁、家具等に固定する小物掛けに関する物である。
【背景技術】
【０００２】  従来、連結できる物掛けはなかった。
【考案の開示】
【考案が解決しようとする課題】
【０００３】    そのために、次のような問題点があった。
（イ）  磁石式小物掛けで、耐荷重を超える物に掛け換える場合、同じ耐荷重の小物掛けがいくつか余っていても、より耐荷重の大きい小物掛けを新しく買い求めなければならなく無駄であった。又一般の店では一種類位しか販売されてないのが現状である。
（ロ）  粘着テープ式物掛けで、壁の材質、表面の形状等でいかにも接着力が弱そうな場合、耐荷重以内の物を掛ける場合でも落ちないかと不安であった。
（ハ）  掛けた物を外す時どうしてもフックの部分を壁に直角に近い方向に引っ張ってしまいがちである。それでだんだん接着力が弱くなってきていると思うと心配であった。
本考案は、これらの問題点を解決するためになされたものである。
【課題を解決するための手段】
【０００４】  フック本体を支える土台の外周にいくつか凸部とそれを受けることができる凹部を設ける。そして同じ凹部、凸部の形状を持つ物掛けと連結できるようにする。以上を特徴とする物掛けである。
【考案の効果】
【０００５】  掛ける物が重くなっても、又接着力が弱くても、弱くなってきてもそれに応じて物掛けを次々連結していけば、重さに耐え切れず物が落ちて壊すこともなくきわめて安全である。
【考案を実施するための最良の形態】
【０００６】  以下、本考案の実施の形態について説明する。
（イ）図１に示すように、フック支持台（１）の側面に凸部（３）、凸部（４）を設け、反対側の側面に凸部をはめ込めることができる大きさ、形状の凹部（５）、凹部（６）を設ける。
本考案は以上のような構成で、これを使用するときは、一つの例として、図３に示すように壁、家具等に固定した小物掛けに補強用として同じ形状の小物掛けを、右斜め上に一つの凹凸を噛み合わせて連結して接着する。２個連結するので耐荷重が２倍の接着力になる。接着している面積が広くなるからである。もちろん、フック本体、フック支持台の材質、形状、大きさ等により又連結のしかたによりどこまでの重さに耐えることができるかをその商品の説明書に記載しておかなければならない。フック本体は図１の鉤以外にもいろいろある。たとえばクリップ、丸い輪状、ふきん掛けの棒状、又は丸い棒を２個の小物掛けで支えるタイプのタオル掛け等もある。
【実施例１】
【０００７】（イ）図４に示すように、凹部の巾ａは巾ｂより狭くする。そして凸部の巾ａ´は巾ｂ´より狭くする。つまり、凹部に、支持台の側面に近い方に巾を狭くした、遠い方にそれより巾を広くした形状を設ける。そして凸部に、支持台の側面に近い方に巾を狭くした、遠い方にそれより巾を広くした形状を設ける。支持台に設けた凹部、凸部をこのような形状にすると、２個の支持台の凹部と凸部を上から噛み合わせた時、支持台は互いに（横方向）水平方向には抜けない。
（ロ）図１６に示すように、凹部の上面Ａの全部又は一部が凹曲面で、下面Ｂの全部又はそれに対応する一部が凸曲面、凸部の上面Ａ´の全部又は一部が凹曲面で、下面Ｂ´の全部又はそれに対応する一部が凸曲面の形状にして、凸部が凹部に上からはめ込むことができる形状にする。逆に上面が凸曲面の場合はそれに対応する下面は凹曲面の形状にする。すると［実施例１］の［図４］と違って凹部の支持台の側面に近い方の巾ａが遠い方の巾ｂと同じかむしろ広く、そして凸部の支持台の側面に近い方の巾ａ´が遠い方の巾ｂ´と同じかむしろ広くなる。支持台に設けた凹部、凸部の形状をこのようにすると上から凸部を凹部にはめ込んでも水平方向には抜けない。凹部、凸部の配置は［実施例４］と同じで支持台が円形の場合は凹部、凸部を交互に並べた［図１５］がその参考例である。
【実施例２】
【０００８】  図７、図８、図９に示すように、凸部上面（１２）、凸部下面（１３）を前面（１０）から背面（１１）に向かって同じ角度で下方に傾斜させる。さらに凹部上面（１４）、凹部下面（１５）を前面（１０）から背面（１１）に向かって同じ角度で下方に傾斜させる。もちろん他の凹部、凸部の上面、下面も全て同じ角度で傾斜させる。凹部、凸部の上面、下面は固定されたものではない。例えば、図１５に示すようにフック支持台の周囲全体に凹部、凸部が配置されている場合は凹部、凸部の上面、下面になる部分、範囲がいろいろ変わることになる。  補強用の小物掛けを連結する時は、少し下方に向かって凹部、凸部を噛み合わせて接着することになる。こうすると補強された小物掛けは壁と直角より少し上付近から下方向には外れない。２つの小物掛けの連結力は強くなる。特に図１０のように、タオル掛けのフック本体（１６）が壁（１７）から長く伸びている場合には効果が大きい。ただし、凹部、凸部をフック支持台の上部、下部にも設けている場合は側面に設けている凹部、凸部と同時に連結することはないので傾斜の角度が同じでなくてもよい。
【実施例３】
【０００９】  図１２、図１３、図１４に示すように、凸部（１９）の外壁に凹部（２０）を設け、凹部（２１）の内壁に凸部（２２）を設ける。他の凹部、凸部も同様とする。この凸部、凹部の壁に設ける凹部、凸部はこの図面では１つであるが２個以上でも構わない。こうすると、凹部、凸部を噛み合わせた時の接する範囲が広くなり、連結力が強くなる。実際には連結した時、力の加わる範囲は凹部、凸部の１部にすぎないからである。
【実施例４】
【００１０】  フック支持台の外周に設ける凹部、凸部は全く任意に配置できる。個数も、並べる順序、間隔も自由である。凹部と凸部が反対側に対応した位置でなくてもよい。凹部と凸部が同数でなくてもよい。図１５に示すように、フック支持台に凹部、凸部を隙間なく交互に並べた形状でもよい。
【実施例５】
【００１１】  補強用小物掛けのフック本体が邪魔になる場合は、図１１に示すように、フック本体（１８）を左右に回転できるようにしておけば、壁の方向に収めることができて邪魔にならない。特にタオル掛けで、図１０のようなタイプとか、丸い棒を一定の間隔に並べた２つの小物掛けで支えるタイプを補強する場合はフック本体を外したフック支持台を供給すればよい。
【図面の簡単な説明】
【００１２】
【図１】本考案の正面図
【図２】本考案の右側面図
【図３】本考案の実施の使用例
【図４】本考案の他の実施例１の正面図
【図５】本考案の他の実施例１の右側面図
【図６】本考案の他の実施例１の左側面図
【図７】本考案の他の実施例２の正面図
【図８】本考案の他の実施例２の右側面図
【図９】本考案の他の実施例２の左側面図
【図１０】本考案の他の実施例２の参考例の側面図
【図１１】本考案の他の実施例２の他の参考例の底面図
【図１２】本考案の他の実施例３の正面図
【図１３】本考案の他の実施例３の右側面図
【図１４】本考案の他の実施例３の左側面図
【図１５】本考案の他の実施例２及び実施例４の参考例の正面図
【図１６】本考案の他の実施例１（ロ）の正面図
【符号の説明】
【００１３】  １  フック支持台
２  フック本体
３  凸部
４  凸部
５  凹部
６  凹部
７  凹部の入口の幅
８  凸部の付け根の幅
９  凸部の腹の幅
１０  前面
１１  背面
１２  凸部上面
１３  凸部下面
１４  凹部上面
１５  凹部下面
１６  タオル掛けのフック本体
１７  壁
１８  フック本体
１９  凸部の外壁
２０  凹部
２１  凹部の内壁
２２  凸部
２３  フック支持台
２４  フック本体
２５  磁石又は粘着テープ
【図１】
0003194721.tif 000003
【図２】
0003194721.tif 000004
【図３】
0003194721.tif 000005
【図４】
0003194721.tif 000006
【図５】
0003194721.tif 000007
【図６】
0003194721.tif 000008
【図７】
0003194721.tif 000009
【図８】
0003194721.tif 000010
【図９】
0003194721.tif 000011
【図１０】
0003194721.tif 000012
【図１１】
0003194721.tif 000013
【図１２】
0003194721.tif 000014
【図１３】
0003194721.tif 000015
【図１４】
0003194721.tif 000016
【図１５】
0003194721.tif 000017
【図１６】
0003194721.tif 000018
【手続補正書】
【提出日】平成26年5月29日(2014.5.29)
【手続補正１】
【補正対象書類名】実用新案登録請求の範囲
【補正対象項目名】全文
【補正方法】変更
【補正の内容】
【実用新案登録請求の範囲】
【請求項１】
フック支持台の外周に凹部と凸部が互いにはめ込むことができる形状を有した凹部と凸部を任意の数だけ設けたところを特徴とする物掛け。
【請求項２】
物掛けにおいて、
（イ）フック支持台の外周に凹部と凸部が互いにはめ込むことができる形状を有した凹部と凸部を任意の数だけ設ける。
（ロ）凹部に、フック支持台の側面に近い方に巾を狭くした、遠い方にそれより巾を広くした形状を設ける。そして凸部に、フック支持台の側面に近い方に巾を狭くした、遠い方にそれより巾を広くした形状を設け、凹部と凸部が互いに水平方向には抜けないようにする。
以上の（イ）及び（ロ）の構成からなる物掛け。
【請求項３】
物掛けにおいて
（イ）フック支持台の外周に凹部と凸部が互いにはめ込むことができる形状を有した凹部と凸部を任意の数だけ設ける。
（ロ）凹部に、フック支持台の側面に近い方に巾を狭くした、遠い方にそれより巾を広くした形状を設ける。そして凸部に、フック支持台の側面に近い方に巾を狭くした、遠い方にそれより巾を広くした形状を設け、凹部と凸部が互いに水平方向には抜けないようにする。
（ハ）凹部、凸部それぞれの上面、下面をフック支持台の前面から背面に向けて下方に傾斜させる。
以上の（イ）〜（ハ）の構成からなる物掛け。
【請求項４】
物掛けにおいて
（イ）フック支持台の外周に凹部と凸部が互いにはめ込むことができる形状を有した凹部と凸部を任意の数だけ設ける。
（ロ）凹部、凸部それぞれの上面、下面をフック支持台の前面から背面に向けて下方に傾斜させる。
以上の（イ）及び（ロ）の構成からなる物掛け。
【請求項５】
凸部の外壁、凹部の内壁にそれぞれいくつかの凹部、凸部を設けて互いにはめ込むことができる形状を有した請求項１〜４のいずれか一項に記載の物掛け。
【請求項６】
請求項１〜４のいずれか一項に記載の物掛けからフック本体を取り外したフック支持台。
【手続補正書】
【提出日】平成26年9月11日(2014.9.11)
【手続補正１】
【補正対象書類名】実用新案登録請求の範囲
【補正対象項目名】全文
【補正方法】変更
【補正の内容】
【実用新案登録請求の範囲】
【請求項１】
フック支持台の外周に凹部と凸部が互いにはめ込むことができる形状を有した凹部と凸部を任意の数だけ設けたところを特徴とする物掛け。
【請求項２】
物掛けにおいて、
（イ）フック支持台の外周に凹部と凸部が互いにはめ込むことができる形状を有した凹部と凸部を任意の数だけ設け、
（ロ）凹部に、フック支持台の側面に近い方に巾を狭くした、遠い方にそれより巾を広くした形状を設け、そして凸部に、フック支持台の側面に近い方に巾を狭くした、遠い方にそれより巾を広くした形状を設け、凹部と凸部が互いに水平方向には抜けないようにする、
以上の（イ）及び（ロ）の構成からなる物掛け。
【請求項３】
物掛けにおいて
（イ）フック支持台の外周に凹部と凸部が互いにはめ込むことができる形状を有した凹部と凸部を任意の数だけ設け、
（ロ）凹部に、フック支持台の側面に近い方に巾を狭くした、遠い方にそれより巾を広くした形状を設け、そして凸部に、フック支持台の側面に近い方に巾を狭くした、遠い方にそれより巾を広くした形状を設け、凹部と凸部が互いに水平方向には抜けないようにして、
（ハ）凹部、凸部それぞれの上面、下面をフック支持台の前面から背面に向けて下方に傾斜させる、
以上の（イ）〜（ハ）の構成からなる物掛け。
【請求項４】
物掛けにおいて
（イ）フック支持台の外周に凹部と凸部が互いにはめ込むことができる形状を有した凹部と凸部を任意の数だけ設け、
（ロ）凹部、凸部それぞれの上面、下面をフック支持台の前面から背面に向けて下方に傾斜させる、
以上の（イ）及び（ロ）の構成からなる物掛け。
【請求項５】
凸部の外壁、凹部の内壁にそれぞれいくつかの凹部、凸部を設けて互いにはめ込むことができる形状を有した請求項１〜４のいずれか一項に記載の物掛け。
【請求項６】
請求項１〜５のいずれか一項に記載の物掛けからフック本体を取り外したフック支持台。